(57)【要約】【課題】ゴムによるマスク着用の利点を活かすことができるとともに、ゴムであることによる欠点を解消することができるマスク用ゴム掛けピン並びに該ピンを取付けた頭部着用物の提供を図る。【解決手段】筒状体の一端を該筒状体の径より大きい平面体で覆うとともに、その他端には頭部着用物に取付け可能な取付機構を設けることで、該取付機構により筒状体を帽子等の頭部着用物に取付けて、マスクのゴムを耳ではなく該筒状体に引掛ける構成としたマスク用ゴム掛けピンである。また、該ピンをあらかじめ頭部着用物に取付けることで、マスクのゴムを耳ではなく該筒状体に引掛ける構成としたマスク用頭部着用物である。【選択図】図１
0003107912.tif 000002
【実用新案登録請求の範囲】
【請求項１】
筒状体の一端を該筒状体の径より大きい平面体で覆うとともに、その他端には頭部着用物に取付け可能な取付機構を設けることで、該取付機構により筒状体を頭部着用物に取付けて、マスクのゴムを耳ではなく該筒状体に引掛けることが可能としたことを特徴とするマスク用ゴム掛けピン。
【請求項２】
筒状体の一端を該筒状体の径より大きい平面体で覆うとともに、その他端をあらかじめ頭部着用物に取付けることで、マスクのゴムを耳ではなく該筒状体に引掛けることが可能としたことを特徴とするマスク用頭部着用物。
【考案の詳細な説明】
【技術分野】
【０００１】
本考案は、マスク用ゴム掛けピンに関し、詳しくは耳以外でマスクのゴムを引掛けることができるマスク用ゴム掛けピン並びに該ピンをあらかじめ取付けた頭部着用物に関するものである。
【背景技術】
【０００２】
マスクは、我々人にとって永年愛用されており、風邪をひいたときや花粉症に悩む人、さらに、掃除の際や工事現場・作業現場等の埃っぽい場所において、マスクはなくてはならない必需品となっている。
【０００３】
従来より、マスクを着用する際には、そのマスクに備えられているゴムを着用者の耳に引掛けて、所定の口元位置にマスクを固定する方法が採られてきた。かかる方法によると、長時間にわたってマスクを着用した場合には、ゴムの引張る力により、耳の周辺、特に耳の上部付け根側が痛くなるといった現象が起こり、長年着用者を悩ませてきた。
【０００４】
そこで、ゴムに代わって紐帯をマスクに備え、該紐帯を後頭部付近で結んでマスクを固定することによって、ゴムを耳に引掛けることによる上記問題点を解決しようとするものが考案されている。しかしながら、紐帯を後頭部付近で結ぶことは少々煩雑であり、耳に引掛けるだけで足りるゴムを備えたマスクほど、普及するには至っていない。
【考案の開示】
【考案が解決しようとする課題】
【０００５】
上記問題点に鑑み、本考案は、ゴムによるマスク着用の利点を活かすことができるとともに、ゴムであることによる欠点を解消することができるマスク用ゴム掛けピン並びに該ピンを取付けた頭部着用物を提供することを目的とする。
【課題を解決するための手段】
【０００６】
前記目的を達成するため、本考案は、筒状体の一端を該筒状体の径より大きい平面体で覆うとともに、その他端には頭部着用物に取付け可能な取付機構を設けることで、該取付機構により筒状体を頭部着用物に取付けて、マスクのゴムを耳ではなく該筒状体に引掛ける構成としたマスク用ゴム掛けピンである。
【０００７】
また、本考案は、筒状体の一端を該筒状体の径より大きい平面体で覆うとともに、その他端をあらかじめ頭部着用物に取付けることで、マスクのゴムを耳ではなく該筒状体に引掛ける構成としたマスク用頭部着用物である。
【考案の効果】
【０００８】
本考案にかかるマスク用ゴム掛けピン及びマスク用頭部着用物によれば、一般に普及しているゴムを備えたマスクを着用する際に、そのゴムを耳ではなくピンに引掛けることで、従来においてマスクの着用により起こっていた耳の周辺、特に耳の上部付け根側が痛くなるといったことがなくなり、長時間にわたってマスクを着用した場合であっても、難なくその状態を継続することが可能となる、といった効果を奏する。
【考案を実施するための最良の形態】
【０００９】
本考案は、マスクに備えられたゴムを、耳ではなく頭部着用物に取付けられる専用のピンに引掛けることができるようにしたことを最大の特徴とする。以下、本考案にかかるマスク用ゴム掛けピン並びに該ピンを取付けた頭部着用物を図面に基づいて説明する。
【００１０】
図１は、本考案にかかるマスク用ゴム掛けピン１を示す斜視図である。該マスク用ゴム掛けピン１は、筒状体２により構成され、該筒状体２の一端は筒状体２の径より大きい平面体３で覆われている。また、筒状体２における平面体３で覆われた側と反対の他端には、頭部着用物Ｈに取付け可能な取付機構４が設けられている。そして、この取付機構４によって本考案にかかるマスク用ゴム掛けピン１を頭部着用物Ｈに取付けることにより、従来の耳に代わってマスクＭのゴムＧを引掛けるピンとして機能する。
【００１１】
かかるマスク用ゴム掛けピン１は、二つで一組とされる。すなわち、マスクＭは、従来ゴムＧを左右の両耳に引掛けて口元に固定されており、本考案にかかるマスク用ゴム掛けピン１においても、頭部着用物Ｈの左右にそれぞれ取付けることとなる。
【００１２】
筒状体２の形状については特に限定はなく、円筒状や多角筒状等のものが考えられる。また、平面体３の形状についても、筒状体２の径より大きい平面体３であれば特に限定されるものではなく、あるモチーフを模って装飾的効果を奏させることも可能である。
【００１３】
さらに、取付機構４についても同様であり、図面では、芯４ａに筒状体２側の掛部４ｂを装着するとともに、頭部着用物Ｈの内側から止具４ｃを芯４ａに装着することで、頭部着用物Ｈへマスク用ゴム掛けピン１を固定する構造を示しているが、これに限定されるものではない。他の態様としては、例えば筒状体２の端部に強力な粘着体を備えさせて取付機構４を構成させたり、また、頭部着用物Ｈにスナップボタンの凹凸いずれか一方を縫付ける等で取付けるとともに、筒状体２の端部には他方のスナップボタンの構造を備えさせることで取付機構４を構成させることなどが考え得る。特に、粘着体による構成は、頭部着用物Ｈがヘルメット等貫通や縫付けが困難なものである場合に有効である。すなわち、取付けるべき頭部着用物Ｈの種類や材質によって、それに一番合った取付機構４を設ければよい。
【００１４】
図２は、本考案にかかるマスク用ゴム掛けピン１を頭部着用物Ｈに取付けた状態を示す部分断面図である。図面に示すように、マスクＭのゴムＧは、平面体３と頭部着用物Ｈとの中間に位置する筒状体２に引掛けられる。平面体３は筒状体２の径よりも大きい構造となっているため、該筒状体２に引掛けられたゴムＧが外れる心配はない。これにより、従来においてマスクＭの着用の際、ゴムＧが耳に引掛けられていたことによる耳の周辺、特に耳の上部付け根側が痛くなって、長時間のマスクＭの着用が困難といった問題点が解消され、長時間にわたってマスクＭを着用した場合であっても、難なくその状態を継続することが可能となる。
【００１５】
尚、本考案にかかるマスク用ゴム掛けピン１を、あらかじめ頭部着用物Ｈに取付けた状態とすることも可能である。かかる構成を採ることにより、頭部着用物Ｈにマスク用ゴム掛けピン１を後付で取付ける作業の煩雑さを解消できるとともに、その作業のための取付機構４を種々設ける必要もなく、頭部着用物Ｈとマスク用ゴム掛けピン１とを一体化させることができる。このことは、仕事上あるいは作業上、マスクＭが多用される現場において大変有益である。すなわち、頭部着用物Ｈが作業用ヘルメットやナースキャップ、衛生帽や掃除用三角巾等、その着用される場面においてマスクＭが多用される場合に、非常に有効に働く。
【００１６】
また、あらかじめマスク用ゴム掛けピン１を取付けるための頭部着用物Ｈについては、特に限定はなく、上記の通り作業用ヘルメットやナースキャップ、衛生帽や掃除用三角巾、その他どのようなものであっても、頭部に着用される物であれば、その種類及び材質は問わない。
【００１７】
図３及び図４は、本考案にかかるマスク用ゴム掛けピンを取付けた頭部着用物Ｈの使用状態例を示す説明図であり、図３は頭部着用物Ｈが帽子である場合の使用状態を示しており、図４は頭部着用物Ｈが作業用ヘルメットである場合の使用状態を示している。
【図面の簡単な説明】
【００１８】
【図１】本考案にかかるマスク用ゴム掛けピンを示す斜視図である。
【図２】本考案にかかるマスク用ゴム掛けピンを頭部着用物Ｈに取付けた状態を示す部分断面図である。
【図３】本考案にかかるマスク用ゴム掛けピンを取付けた頭部着用物の使用状態例を示す説明図である。
【図４】本考案にかかるマスク用ゴム掛けピンを取付けた頭部着用物の使用状態例を示す説明図である。
【符号の説明】
【００１９】
１    マスク用ゴム掛けピン
２    筒状体
３    平面体
４    取付機構
４ａ  芯
４ｂ  掛部
４    止具
Ｇ    ゴム
Ｈ    頭部着用物
Ｍ    マスク
【図１】
0003107912.tif 000003
【図２】
0003107912.tif 000004
【図３】
0003107912.tif 000005
【図４】
0003107912.tif 000006